(57)【要約】【課題】水中に溶存するトリハロメタン等の有害物質を除去することができるとともに、水をミネラル濃度の高いものに改質することができる水改質材及び、この水改質材を用いた消臭剤を提供することを目的としている。【解決手段】花崗岩を粉砕し、平均粒径１〜５ｍｍの花崗岩粒子を、１２〜１５時間かけて８００〜１３００℃まで加熱し、室温になるまで放冷し、水改質材を得た。水改質材１００ｇを水道水（長野県上田市の市水）１．５リットル入りの２リットルペットボトルに投入し、ペットボトルの蓋をした後、５分間ペットボトルを手で激しく振って水改質材に水道水を十分に曝したのち、数十分間放置して上澄み液を採取し、消臭剤を得た。【選択図】なし【特許請求の範囲】
【請求項１】
花崗岩を粉砕して得た花崗岩粒子を焼成してなる水改質材。
【請求項２】
８００℃〜１３００℃で焼成してなる請求項１に記載の水改質材。
【請求項３】
花崗岩粒子の平均粒径が1〜５ｍｍの請求項１に記載の水改質材。
【請求項４】
請求項１〜請求項３のいずれかに記載の水改質材を水に投入し、水改質材に水を十分に曝して得られる改質水。
【請求項５】
請求項４に記載の改質水を含有した消臭剤。
【発明の詳細な説明】
【技術分野】
【０００１】
本発明は、花崗岩を粉砕して得た花崗岩粒子を高温で焼成してなる水改質材及びこれを水に浸漬して得られた改質水を用いた消臭剤に関するものである。
【背景技術】
【０００２】
水道水中の環境汚染物質として、トリハロメタンが問題になっていることは周知の通りである。このトリハロメタンは、水中のフミン質などの有機物質が、浄水場での消毒の際に用いられる次亜塩素酸由来の塩素と反応して生成される。
【０００３】
こうして生成されたトリハロメタンのうち、クロロホルム及びブロモジクロロメタンについては、発がん性があるかもしれない物質として勧告されており、また肝障害や腎障害の原因や催奇形性も疑われている。
【０００４】
トリハロメタンを生成しない消毒方法としてオゾンを用いる方法がある（例えば、特許文献１）。オゾンは、強力な酸化作用があり、殺菌やウイルスの不活化、脱臭、脱色、有機物の除去などに用いられる。気体としてのオゾンは、その毒性により高度な濃度管理が求められるため、オゾンガスをミキシング又はバブリングと呼ばれる手法で水に溶け込ませたり、電気分解により水に含まれる酸素を利用して作るオゾン水として活用される例が増えている。
【０００５】
しかし、このオゾン水は、エチレン系の物質等を劣化させるという特色もあり、頻繁に使用することで、多くの生活関連物質をいためることが分かってきた。
【０００６】
【特許文献１】特開２００５−１７７５８４号公報
【発明の開示】
【発明が解決しようとする課題】
【０００７】
本発明は、上記のような事情に鑑みて、水中に溶存するトリハロメタン等の有害物質を除去することができるとともに、水をミネラル濃度の高いものに改質することができる水改質材及び、この水改質材を用いた消臭剤を提供することを目的としている。
【課題を解決するための手段】
【０００８】
以上のような目的を達成するために、本発明に係る水改質材は、花崗岩を粉砕して得た花崗岩粒子が高温で焼成されてなることを特徴としている。
【０００９】
本発明において、花崗岩粒子を粉砕することによってなし得る。この花崗岩粒子の粒径は、特に限定されないが、平均粒径で１〜５ｍｍが好ましい。５ｍｍを超えると水面での浮遊時間が短くなり、浄化作用が低下し、１ｍｍ以下では、浄化効果が得られないためである。
【００１０】
花崗岩粒子の焼成温度は、特に限定されないが、８００〜１３００℃が好ましく、１２５０℃前後が特に好ましい。
【００１１】
焼成時間は、特に限定されないが、１２〜１５時間かけて焼成温度が１２００〜１３００℃まで加熱し、焼成することが好ましい。また、焼成後の焼成粒子は、放冷により常温まで冷却される。
【００１２】
本発明の水改質材を用いて水を改質する方法としては、特に限定されないが、例えば、水道水等の改質しようとする水の中に水改質材を入れて撹拌する方法、水改質材を充填したカラム中に改質しようとする水を通過させる方法等が挙げられる。
【００１３】
処理時間としては、特に限定されないが、水道水をおいしい安全な水に改質する場合は、水道水が水改質材に数分程度曝されるだけで十分である。
一方、本発明に係る消臭剤は、上記本発明の水改質材を水中に加え、水改質材中のミネラル分が溶出して得られる改質水を少なくとも含むことを特徴としている。
本発明の消臭剤には、上記改質水以外に、たとえば、天然の香料等、他の添加剤を消臭効果を損なわない範囲で必要に応じて添加するようにしても構わない。
【発明の効果】
【００１４】
本発明の水改質材は、以上のように、花崗岩を粉砕して得た花崗岩粒子が高温で焼成されてなるので、水道水等をこの水改質材に曝すようにすれば、水中に溶存するトリハロメタン等の有害物質を除去あるいは濃度低下させることができるとともに、ミネラル分が水中に溶け込んで安全で健康によい水に改質することができる。
また、本発明の消臭剤は、以上のように、高濃度のミネラル分を含む改質水が含まれているので、室内壁等に噴霧するなどすれば、室内のいやなにおい等を消臭することができる。また、有害物質を含まないので、安全である。
【発明を実施するための最良の形態】
【００１５】
本発明の実施の形態としては、特に限定されないが、例えば、飲料水や、消臭剤として使用することができる。以下、この発明を実施例によりさらに詳しく説明する。
【００１６】
（実施例１）
花崗岩を破砕機を用いて、１００ｔの錘で粉砕し、平均粒径１〜５ｍｍの花崗岩粒子を得た。次に、この花崗岩粒子を電気窯（日陶産業株式会社、Ｄ−４５０型）を用いて、単相２００Ｖ、４．５Ｋｗで１２〜１５時間かけて１２５０℃まで過熱し、その後、室温になるまで放冷して水改質材を得た。
【００１７】
上記のようにして得た水改質材１００ｇを水道水（長野県上田市の市水）１．５リットル入りの２リットルペットボトルに投入し、ペットボトルの蓋をした後、５分間ペットボトルを手で激しく振って水改質材に水道水を十分に曝したのち、４８分間放置して上澄み液を採取した。
【００１８】
（実施例２）
実施例１と同じように、花崗岩を破砕機を用いて、１００ｔの錘で粉砕し、平均粒径１〜５ｍｍの花崗岩粒子を得た。次に、この花崗岩粒子を電気窯（日陶産業株式会社、Ｄ−４５０型）を用いて、１２〜１５時間かけて８００℃まで加熱し、室温になるまで放冷し、水改質材を得た。水改質材１００ｇを水道水（長野県上田市の市水）１．５リットル入りの２リットルペットボトルに投入し、ペットボトルの蓋をした後、５分間ペットボトルを手で激しく振って水改質材に水道水を十分に曝したのち、４８分間放置して上澄み液を採取した。
【００１９】
（比較例１）
実施例１と同じように花崗岩を破砕機を用いて、１００ｔの錘で粉砕し、平均粒径１〜５ｍｍの花崗岩粒子を得た後、焼成せずに、花崗岩粒子１００ｇを水道水（長野県上田市）１．５リットル入りの２リットルペットボトルに投入し、ペットボトルの蓋をした後、５分間ペットボトルを手で激しく振って花崗岩粒子に水道水を十分に曝したのち、４８分間放置して上澄み液を採取した。
【００２０】
（比較例２）
実施例１と同じように、花崗岩を破砕機を用いて、１００ｔの錘で粉砕し、平均粒径１〜５ｍｍの花崗岩粒子を得た。次に、この花崗岩粒子を電気窯（日陶産業株式会社、Ｄ−４５０型）を用いて、１２〜１５時間かけて２００℃まで加熱し、室温になるまで放冷し、水改質材を得た。水改質材１００ｇを水道水（長野県上田市の市水）１．５リットル入りの２リットルペットボトルに投入し、ペットボトルの蓋をした後、５分間ペットボトルを手で激しく振って水改質材に水道水を十分に曝したのち、４８分間放置して上澄み液を採取した。
【００２１】
水道水及び実施例１で得た上澄み液のトリハロメタン含量について分析試験を行った。分析試験は、財団法人日本食品分析センターによる。その結果を表１に示す。
【００２２】
【表１】
2008036540.tif 000002
【００２３】
水道水及び実施例１及び比較例１で得た溶液中のナトリウム、カリウム、カルシウム、マグネシウムの各含量について分析試験を行った。なお、分析試験は、財団法人日本食品分析センターによる。その結果を表２に示す。
【００２４】
【表２】
2008036540.tif 000003
【００２５】
次に、アンモニア臭の消臭官能試験を行った。アンモニアをシャーレに塗布し、その上に実施例１〜２及び比較例１〜２で得た溶液をそれぞれ噴きつけ、噴きつけた直後に臭いを嗅いだ。その結果を表３に示す。なお、臭いが消えたものには○、臭いが微かに残ったものには△、臭いが残ったものには×を記す。
【００２６】
【表３】
2008036540.tif 000004
【００２７】
以上より、実施例１で得た水溶液は水道水に比べ、クロロホルム及びブロモジクロロメタンの濃度が下がり全体としてトリハロメタンの濃度が下がった。又、ミネラル成分は、カリウムの濃度が高くなり、消臭効果も得られた。